(57)【要約】      （修正有）【課題】折畳み状態における高さを、従来のパレットに比して著しく低くでき、その一台のコンテナーに積載可能とするパレットの台数が、より多くの台数を積載可能とされ、輸送の合理化及び高能率化、並びに低コスト化が図られる折畳み柱パレットを提供する。【解決手段】支持用脚体２の底面部分に、組み立て状態で積重ねた際の上位側の柱パレットにおける柱体の上端を、または、折畳み状態において積み重ねた際の上位側の柱パレットにおける支持用脚体の上端を、夫々遊嵌可能とするカバー状脚体３を固設することによって、組み立て時には、上位側の柱パレットにおける支持用脚体の下面が下位側柱パレットの柱体の上端に、また、折畳み時には、上位側柱パレットにおける支持用脚体の下面が下位側柱パレットの柱体支持用脚体の上端に、夫々被せた状態で積み重ねるように構成する。【選択図】図１
0003196750.tif 000002
【実用新案登録請求の範囲】
【請求項１】
台板の四隅寄りに、平面コ字状を呈する柱体支持用脚体を，その解放面部分を夫々中央方向に互いに向き合うような形態で取り付け、当該脚体に対して昇降かつ倒伏自在に枢支した柱体を、台板の前後方向に向かって互いにぴったりと重ね合わせた状態で折畳むことが出来るように構成した柱パレットであって、
上記支持用脚体の底面部分に、組み立て状態で積重ねた際の上位側の柱パレットにおける柱体の上端を、または、折畳み状態において積み重ねた際の上位側の柱パレットにおける支持用脚体の上端を、夫々遊嵌可能とするカバー状脚体を固設することによって、
組み立て時には、上位側の柱パレットにおける当該支持用脚体の下面が下位側柱パレットの柱体の上端に、また、折畳み時には、上位側柱パレットにおける当該支持用脚体の下面が下位側柱パレットの柱体支持用脚体の上端に、夫々被せた状態で積み重ねるように構成することにより、上位側パレットと下位側パレットとの組み立て状態と折畳み状態との積載が、互いの台板の接触に基づき浮き上がりが生じないように構成した折畳み柱パレット。
【請求項２】
支持用脚体の底面部分に固設するカバー状脚体の形態を、天部内面の大きさが柱体の上端面または支持用脚体の上端面より遊び幅を設けて大きく設定した末広がりの台形を呈するように構成した請求項1に記載の折畳み柱パレット。
【考案の詳細な説明】
【技術分野】
【０００１】
本発明は各種製品を収容し、輸送時は段積み状態で用いるための折畳み柱パレットに関する。
【背景技術】
【０００２】
折畳み柱パレットは、主としてコンテナーに段積みした状態で輸送に供するものである。  従って、輸送の合理化及び高能率化、並びに低コスト化を図るためには、輸送時の組み立て状態の高さ、並びに、返送する際の折畳み状態で縦方向に重ね合わせた状態での高さが重要視される。  何故ならば、一台のコンテナーに積載可能とするパレットの台数によって、これらの要因が左右されるからである。
【０００３】
従来の柱パレットは図９に示すように、柱部分を正面に向かって左右方向から山形状に重ね合わせて折畳むように構成したものであった。  そして、この場合パレットによっては、その中央部分には盛り上がり状重ね部分Ａが存在し、折畳み時の全体的厚さが増してしまうものも存在した。
【０００４】
更に、折畳み時の積み上げに際して、従来の柱パレットは図１０に示すように、柱部分は浮かせた状態とし、その台板部分に設けた補強用桟部分Ｂを接触面とすることに依って、積重ねるように構成したものであった。
【考案の概要】
【考案が解決しようとする課題】
【０００５】
上記したように従来の柱パレットは、図１０に示すように、台板部分の補強用桟部分Ｂを接触面として積重ねるように構成したものであったため、必然、柱部分は上下互いに浮かせた状態となり、その分だけ折畳み状態での積み上げ高さが増し、合理的な積載の妨げとなった。
【０００６】
本発明は、上記したような従来の問題を解決した新規の折畳み柱パレットの提供を図ったものである。
【課題を解決するための手段】
【０００７】
本考案は請求項１に記載のように、台板の四隅寄りに、平面コ字状を呈する柱体支持用脚体を，その解放面部分を夫々中央方向に互いに向き合うような形態で取り付け、当該脚体に対して昇降かつ倒伏自在に枢支した柱体を、台板の前後方向に向かって互いにぴったりと重ね合わせた状態で折畳むことが出来るように構成した柱パレットであって、
上記支持用脚体の底面部分に、組み立て状態で積重ねた際の上位側の柱パレットにおける柱体の上端を、または、折畳み状態において積み重ねた際の上位側の柱パレットにおける支持用脚体の上端を、夫々遊嵌可能とするカバー状脚体を固設することによって、
組み立て時には、上位側の柱パレットにおける当該支持用脚体の下面が下位側柱パレットの柱体の上端に、また、折畳み時には、上位側柱パレットにおける当該支持用脚体の下面が下位側柱パレットの柱体支持用脚体の上端に、夫々被せた状態で積み重ねるように構成することにより、上位側パレットと下位側パレットとの組み立て状態と折畳み状態との積載が、互いの台板の接触に基づき浮き上がりが生じないように構成した折畳み柱パレットに係る。
【０００８】
本考案は請求項2に記載のように、支持用脚体の底面部分に固設するカバー状脚体の形態を、天部内面の大きさが柱体の上端面または支持用脚体の上端面より遊び幅を設けて大きく設定した末広がりの台形を呈するように構成した請求項1に記載の折畳み柱パレットを実施の態様とする。
【考案の効果】
【０００９】
本考案は請求項１に記載のような構成を採用したから、折畳み状態における高さを、従来のこの種パレットに比して著しく低くすることが出来る。  従って、その一台のコンテナーに積載可能とするパレットの台数が、従来パレットより多くの台数を積載可能とされるため、輸送の合理化及び高能率化、並びに低コスト化が図られることと成る。
【００１０】
すなわち本考案は、支持用脚体の底面部分に、組み立て状態で積重ねた際の上位側の柱パレットにおける柱体の上端を、または、折畳み状態において積み重ねた際の上位側の柱パレットにおける支持用脚体の上端を、夫々遊嵌可能とするカバー状脚体を固設することに依り、組み立て時には、上位側の柱パレットにおける当該支持用脚体の下面が下位側柱パレットの柱体の上端に、また、折畳み時には、上位側柱パレットにおける当該支持用脚体の下面が下位側柱パレットの柱体支持用脚体の上端に、夫々被せた状態で積み重ねるように構成することにより、上位側パレットと下位側パレットとの組み立て状態と折畳み状態との積載が、互いの台板の接触に基づき浮き上がりが生じないように構成したから、
図１０に示す従来パレットのように、台板の一部である補強用桟部分Ｂを接触面として積重ねるように構成したものに比して、本考案はその折畳み状態での積載高さを低く設定することが可能化される。
【００１１】
本考案は請求項２に記載のように、支持用脚体の底面部分に固設するカバー状脚体の形態を、天部内面の大きさが柱体の上端面または支持用脚体の上端面より遊び幅を設けて大きく設定した末広がりの台形を呈するように構成したから、柱体の上端、または、支持用脚体の上端に対する遊嵌の円滑化が図られる。
【００１２】
すなわち、例えば、支持用脚体の底面部分に固設するカバー状脚体の形態を、その天部内面の大きさを柱体の上端面または支持用脚体の上端面と等しく形成した場合、その積み重ねに対する合致操作が著しく至難化してしまう。
これに対して本考案は、台形状を呈する広口部分で易易と嵌合させることが出来、天面部分でもある程度の遊びを具えた嵌合とされるため、例えば柱体か多少反り曲がった状態のものであっても、その誤差を吸収して嵌合が許容化されると言うように、嵌合のファジー化が図られるため、作業能率が著しく向上される。
【図面の簡単な説明】
【００１３】
【図１】本考案を折畳んで積み重ねた状態を表した要部の説明用側面図である。
【図２】本考案の正面図である。
【図３】本考案の側面図である。
【図４】補強用桟取り付け部分を拡大して示す説明用正面図である。
【図５】同上平面図である。
【図６】本考案の要旨部材たるカバー状脚体の斜視図である。
【図７】図６におけるＸ−Ｘ線断面図である。
【図８】カバー状脚体による積重ね状態を表した説明用正面図ある。
【図９】従来の柱パレットを折畳んで積み重ねた状態を表した正面図である。
【図１０】従来の柱パレットを折畳んで積み重ねた状態を表した要部の側面図である。
【考案を実施するための形態】
【００１４】
図において、１は平面矩形状を呈する積載用台板、２は当該台板１の四隅寄りに立設した平面コ字状を呈する柱体支持用脚体であって、その解放面部分を夫々中心方向（正面において中央方向）に互いに向き合うような形態で取り付けてある。
【００１５】
そして、当該脚体２の底面には、天部内面の大きさＴが下記する柱体４の上端面または上記支持用脚体２の上端面より所定の遊び幅ｔを設けて大きく設定した末広がりの台形を呈するカバー状脚体３が固設してある。（図８参照）
【００１６】
４は柱体であって、前記柱体支持用脚体２に対して解放面側に向かって起伏自在にしてかつ昇降自在に枢支してある。  ５は柱体４の下端寄りに取り付けた制御用突起である。  なお、このような枢支手段自体は公知技術に属するため、詳細な説明は省略する。
【００１７】
また、上記した柱体４であるが、これは、当該柱体４を台板１の中央方向に向かって倒した際、互いにぴったりと重ね合わせて折畳むことが出来るように構成してある。
【００１８】
６は補強用桟であって、前後に位置する柱体の上端に着脱自在に架設してある。  なお、当該補強用桟６は、柱体４の折畳みに際してはこれを取り外しておくものである。  そして、当該補強用桟６はこれを省略して実施する場合もあり、必須的部材に属するものではない。  
【００１９】
本考案にあっては上記のような構成に基づき、すなわち、組み立て時の積重ねに際しては、上位側の柱パレットにおける当該支持用脚体２のカバー状脚体３が下位側柱パレットの柱体４の上端に、折畳み時の積重ねに際しては、上位側の柱パレットにおける当該支持用脚体２のカバー状脚体３の下面が下位側柱パレットの柱体支持用脚体２の上端に、夫々被せた状態で積み重ねるように構成することに依って、上位側パレットと下位側パレットとの組み立て状態と折畳み状態との積み重ねが、互いの台板の接触に基づき浮き上がりが生じることなく行われるように構成したことを要旨技術とするものである。
【００２０】
すなわち従来にあっては、図１０に示すように、台板の一部である補強用桟部分Ｂを接触面として積重ねるように構成したものであったため、柱部分は上下互いに浮かせた状態となり、その分だけ折畳み状態での積み上げ高さが増し、合理的な積載を妨げるとなった。  本考案は上記の構成に基づき、このような欠点の解消化が図られている。
【００２１】
そして図８に示すように、支持用脚体の底面部分に固設するカバー状脚体３の形態を、天部内面の大きさＴが柱体４の上端面または支持用脚体の上端面より所定の遊び幅ｔを設けて大きく設定した末広がりの台形を呈するように構成したから、柱体４の上端、または、支持用脚体２の上端に対する遊嵌の円滑化が図られる。
【００２２】
すなわち、例えば、カバー状脚体３の形態を、その天部内面の大きさを柱体４の上端面または支持用脚体２の上端面と等しく形成した場合、その積み重ねに対する合致操作が著しく至難化してしまう。
これに対して本考案は、台形状を呈する広口部分で易易と嵌合させることが出来、天面部分でも、ある程度の遊びを具えた嵌合とされるため、例えば柱体等が多少反り曲がった状態のものであっても、その誤差を吸収して嵌合が許容化されると言うように、嵌合のファジー化が図られるため、作業能率が著しく向上される。
【符号の説明】
【００２３】
１  積載用台板
２  柱体支持用脚体
３ カバー状脚体
４  柱体
５  制御用突起
６  補強用桟
【図１】
0003196750.tif 000003
【図２】
0003196750.tif 000004
【図３】
0003196750.tif 000005
【図４】
0003196750.tif 000006
【図５】
0003196750.tif 000007
【図６】
0003196750.tif 000008
【図７】
0003196750.tif 000009
【図８】
0003196750.tif 000010
【図９】
0003196750.tif 000011
【図１０】
0003196750.tif 000012